(57)【特許請求の範囲】
【請求項１】
略立方体柱状をなし、軸心方向には中空路が設けられ、該中空路と外部とを連通するスリットが上面部に軸心方向へ向かって直線状に設けられた、スリット付き側溝用ブロックの吊り具装置であり、
前記中空路の上壁に係止する上壁係止片と、該上壁係止片に連続し略垂直上方向へ延びる支持片と、該支持片の先端部から前記上壁係止片と同様の方向へ折曲する接続片と、前記支持片の先端部に前記接続片と反対方向へ膨出して設けられたセット時位置決め部と、前記接続片先端部に設けられた軸支部と、を有して一対設けられた吊り部材と、
前記一対の吊り部材間に取り付けられ、基端部に設けられた、前記軸支部で回動可能に軸支される回動部と、先端部に設けられた上方引っ張り部とを有する揺動部材本体と、該揺動部材本体の側部より斜め下側に延出し、前記吊り部材の支持片間を通過して前記スリットの一方側内壁に当接する吊り上げ時位置決め部と、を備えた揺動部材と、
を備えて構成されていることを特徴とするスリット付き側溝用ブロックの吊り具装置。
【請求項２】
略立方体柱状をなし、軸心方向には中空路が設けられ、該中空路と外部とを連通するスリットが上面部に軸心方向へ向かって直線状に設けられると共に、前記スリットは幅方向中央から一方側へ偏って設けられた、スリット付き側溝用ブロックの吊り具装置であり、
前記中空路の上壁に係止する上壁係止片と、該上壁係止片に連続し略垂直上方向へ延びる支持片と、該支持片の先端部から前記上壁係止片と同様の方向へ折曲する接続片と、前記支持片の先端部に前記接続片と反対方向へ膨出して設けられたセット時位置決め部と、前記接続片先端部に設けられた軸支部と、を有して一対設けられた吊り部材と、
前記一対の吊り部材間に取り付けられ、基端部に設けられた、前記軸支部で回動可能に軸支される回動部と、先端部に設けられた上方引っ張り部とを有する揺動部材本体と、該揺動部材本体の側部より斜め下側に延出し、前記吊り部材の支持片間を通過して前記スリットの一方側内壁に当接する吊り上げ時位置決め部と、を備えた揺動部材と、
を備えて構成されていることを特徴とするスリット付き側溝用ブロックの吊り具装置。
【発明の詳細な説明】
【０００１】
【発明の属する技術分野】
本発明は、例えば、道路の両脇に敷設されて側溝を形成するスリット付き側溝用ブロックの吊り具装置に関するものである。
【従来の技術】
スリット付き側溝用ブロックは、その上面側の外部と側溝用ブロック内部の水路等の機能をはたす中空路とは上面部に形成されたスリットにより連通されている。
【０００２】
この上面にスリットが設けられた側溝用ブロックは、近年急激に需要が増えており、例えば車道の両脇に当該スリット付き側溝用ブロックを用いた側溝が形成され、敷設されることが多々見受けられる。
【０００３】
そして、降雨時においては、車道に流れ込んだ大量の雨水等が当該側溝に設けられたスリットから内部の中空路に流れ込むものとされている。
【０００４】
しかして、当該スリット付き側溝用ブロックの吊り具装置は、前記スリット付き側溝用ブロックの運搬に際しても、またその施工に際しても用いられる必須不可欠の重要な装置であり、このスリット付き側溝ブロックの吊り上げに最も適し、また吊り上げ作業の安全性が保て、しかも吊り上げ作業がスムーズに行える吊り具装置の提供が従来より要望されていた。
【発明が解決しようとする課題】
しかして、本発明は前記従来からの要望に対処すべく創案されたものであり、スリット付き側溝用ブロックの運搬に際しても、またその施工に際しても何ら変わりなくスムーズに使用でき、そしてスリット付き側溝ブロックの吊り上げに最も適し、また吊り上げ作業の安全性が保て、しかも吊り上げ作業効率の良いスリット付き側溝用ブロックの吊り具装置を提供することを目的とするものである。
【課題を解決するための手段】
本発明によるスリット付き側溝用ブロックの吊り具装置は、
略立方体柱状をなし、軸心方向には中空路が設けられ、該中空路と外部とを連通するスリットが上面部に軸心方向へ向かって直線状に設けられた、スリット付き側溝用ブロックの吊り具装置であり、
前記中空路の上壁に係止する上壁係止片と、該上壁係止片に連続し略垂直上方向へ延びる支持片と、該支持片の先端部から前記上壁係止片と同様の方向へ折曲する接続片と、前記支持片の先端部に前記接続片と反対方向へ膨出して設けられたセット時位置決め部と、前記接続片先端部に設けられた軸支部と、を有して一対設けられた吊り部材と、
前記一対の吊り部材間に取り付けられ、基端部に設けられた、前記軸支部で回動可能に軸支される回動部と、先端部に設けられた上方引っ張り部とを有する揺動部材本体と、該揺動部材本体の側部より斜め下側に延出し、前記吊り部材の支持片間を通過して前記スリットの一方側内壁に当接する吊り上げ時位置決め部と、を備えた揺動部材と、
を備えて構成されていることを特徴とし、
または、
略立方体柱状をなし、軸心方向には中空路が設けられ、該中空路と外部とを連通するスリットが上面部に軸心方向へ向かって直線状に設けられると共に、前記スリットは幅方向中央から一方側へ偏って設けられたスリットとされたスリット付き側溝用ブロックの吊り具装置であり、
前記中空路の上壁に係止する上壁係止片と、該上壁係止片に連続し略垂直上方向へ延びる支持片と、該支持片の先端部から前記上壁係止片と同様の方向へ折曲する接続片と、前記支持片の先端部に前記接続片と反対方向へ膨出して設けられたセット時位置決め部と、前記接続片先端部に設けられた軸支部と、を有して一対設けられた吊り部材と、
前記一対の吊り部材間に取り付けられ、基端部に設けられた、前記軸支部で回動可能に軸支される回動部と、先端部に設けられた上方引っ張り部とを有する揺動部材本体と、該揺動部材本体の側部より斜め下側に延出し、前記吊り部材の支持片間を通過して前記スリットの一方側内壁に当接する吊り上げ時位置決め部と、を備えた揺動部材と、
を備えて構成されていることを特徴とする。
【発明の実施の形態】
以下、図に基づいて本発明に係るスリット付き側溝用ブロックの吊り具装置についての一実施例につき説明する。
【０００５】
本発明による側溝用ブロック１はその上面部４にスリット３が設けられた側溝用ブロック１であり、該スリット付き側溝ブロック１は、通常略直方体の角柱状をなして形成されている。
【０００６】
そして、その軸心方向には例えば縦長楕円状で上壁１５がフラット面に形成された中空路２が設けられている。
【０００７】
ここで、この中空路２と外部とを連通させるスリット３が上面部４において軸心方向へ向かって直線状に延出して設けられていると共に、該スリット３は側溝用ブロック１の幅方向中央から一方側（図２，図３，図５，図６において左側）に偏らせて設けられている。
【０００８】
さらに、この上面部４の外表面は前記スリット３を境に若干段差を設けて形成され、図に向かって右側が、図に向かって左側より低くなるよう構成されている。
【０００９】
なお、各図においては段差があるスリット付き側溝用ブロック１が示されているが、かかるスリット付き側溝用ブロック１に限定されるものではなく、段差のないスリット付き側溝用ブロック１でも構わないものである。
【００１０】
次に、符号５は前述したスリット付き側溝用ブロック１の吊り具を示す。
【００１１】
該吊り具５は、上壁係止片６と支持片７と接続片８とセット時位置決め片９と軸支部１０とを有する吊り部材１１と、揺動部本体材１２と該揺動部材本体１２の側部から延出する吊り上げ時位置決め片１３とを有する揺動部材１４とを備えて構成されている。
【００１２】
ここで、吊り部材１１の上壁係止片６は前記中空路２においてフラット面に構成された上壁１５に密接して係止するように形成され、該上壁係止片６の一方側先端部からは略垂直上方向に延びる支持片７が上壁係止片６に連続し一体的にして設けられている。
【００１３】
さらに、支持片７の先端部からは前記上壁係止片６の延出方向と略同様の方向へ折曲して張り出す接続片８も同様に連続一体的にして構成されている。
【００１４】
また支持片７の先端部分には図から理解されるように、接続片８と反対方向に膨出して設けられたセット部位置決め部９が設けられ、さらに前記接続片８の先端部側には軸支部１０が設けられている。
【００１５】
しかして、このような構成からなる吊り部材５が一対設けられる。
【００１６】
次に、前記一対の吊り部材５，５間には揺動部材１４が挟まれて揺動可能に取り付けられる。
【００１７】
ここで、前述のように揺動部材１４は揺動部材本体１２と吊り上げ時位置決め片１３とを有しているが、揺動部材本体１２は図に示すように略長楕円状をなしており基端部側には吊り部材５の軸支部１０で軸支されて回動可能とされた回動部１６が、先端部には吊り上げワイヤー等の吊り上げ材が接続される上方引っ張り部１７が設けられている。
【００１８】
さらに、前記揺動部材本体１２の一方側側部１９からは斜め下側に延出し、前記一対の支持部材５，５間を通過して外部に露出し、スリット３の一方側内壁１８に当接する吊り上げ時位置決め部１３が設けられている。
【００１９】
以上において、まず、前記構成からなる吊り具５をスリット付き側溝ブロック１のスリット３内に挿入する。この挿入に際しては該吊り具５の長さ方向をスリット３の長さ方向と平行にし、その状態で挿入する。挿入後は中空路２内で吊り具５を回転させて向きを変え、セット時位置決め片９をスリット３の一方側内壁１８に当接させる。
【００２０】
その状態から上方引っ張り部１７を介して接続された吊り上げワイヤー等の吊り上げ材２１を上方へ引き上げる。
【００２１】
すると、吊り具５は、その上壁係止片６がフラット面たる中空路２の上壁１５に密接して係止し、かつ揺動部材１４が回動部１６を回動軸として回動し、該揺動部材１４から延出している吊り上げ時位置決め片１３がスリット３の一方側内壁１８を押圧して密接状態となる。
【００２２】
また、前記吊り上げ時位置決め片１３がスリット３の一方側内壁１８を押圧することにより吊り部材５はスリット３の他方側内壁２０の方へ移動し、これにより図に示すように吊り部材５の上壁係止片６と支持片７とでスリット３の他方側内壁２０及び該内壁２０の下端から水平方向へ繋がる中空路２の上壁１５とを包み込むような形で係止固定することになる。
【００２３】
よって、本発明の吊り具によれば、安全にスムーズに、かつ効率よくスリット付き側溝ブロック１を吊り上げることができる。
【発明の効果】
かくして本発明は以上の構成よりなる。
【００２４】
そして、本発明によるスリット付き側溝用ブロックの吊り具であれば、スリット付き側溝ブロックの吊り上げに最も適しているといえるものであり、吊り上げ作業の安全性が保て、しかも吊り上げ作業効率の優れたスリット付き側溝用ブロックの吊り具装置を提供できることとなる。
０
【図１】  本発明によるスリット付き側溝ブロックの吊り具の構成を説明する構成説明図（その１）である。
【図２】  本発明によるスリット付き側溝ブロックの吊り具の構成を説明する構成説明図（その２）である。
【図３】  本発明によるスリット付き側溝ブロックの吊り具の構成を説明する構成説明図（その３）である。
【図４】  本発明によるスリット付き側溝ブロックの吊り具の使用状態を説明する説明図である。
【図５】  他の実施例のスリット付き側溝ブロックの吊り具の構成を説明する構成説明図（その１）である。
【図６】  他の実施例のスリット付き側溝ブロックの吊り具の構成を説明する構成説明図（その２）である。
【符号の説明】
１    スリット付き側溝用ブロック
２    中空路
３    スリット
４    上面部
５    吊り具
６    上壁係止部
７    支持片
８    接続片
９    セット時位置決め片
１０    軸支部
１１    吊り部材
１２    揺動部材本体
１３    吊り上げ時位置決め片
１４    揺動部材
１５    上壁
１６    回動部
１７    上方引っ張り部
１８    スリットの一方側内壁
１９    揺動部材本体の一方側側部
２０    スリットの他方側内壁
２１    吊り上げ部材
【図１】
0003758150.tif 000002
【図２】
0003758150.tif 000003
【図３】
0003758150.tif 000004
【図４】
0003758150.tif 000005
【図５】
0003758150.tif 000006
【図６】
0003758150.tif 000007